(57)【要約】【課題】受信した時刻で修正する時刻修正を実行させるための操作と、スイッチ操作で設定した時刻で修正する時刻修正を実行するための操作とを、間違えなく確実に行うことができる電子時計を提供する。【解決手段】電子時計は、時刻計数手段（４５）と、外部時刻受信手段（４８）と、外部操作スイッチ（４４）と、このスイッチが操作された際の操作時間が所定時間以上か否かを判別する操作状態判別手段（４１、Ｓ１２）と、操作時間が所定時間以上でないと判別された場合に、外部時刻受信手段を制御して外部機器から時刻データを受信して、受信時刻データにより時刻計数手段の現在時刻データを修正する第１の時刻修正手段（４１、Ｓ２３、Ｓ２４、Ｓ２５、Ｓ２６）と、操作時間が所定時間以上と判別された場合に、外部からスイッチ操作により設定された時刻データにより時刻計数手段の現在時刻データを修正する第２の時刻修正手段（４１、Ｓ３１）とを備える。【選択図】図５
2013003119.tif 000002
【特許請求の範囲】
【請求項１】
現在時刻データを計数する時刻計数手段と、
外部機器から時刻データを受信する外部時刻受信手段と、
外部から操作可能な外部操作スイッチと、
この外部操作スイッチが操作された際に、外部操作スイッチの操作時間が所定時間以上か否かを判別する操作状態判別手段と、
この操作状態判別手段で、前記外部操作スイッチの操作時間が前記所定時間以上でないと判別された場合に、前記外部時刻受信手段を制御して前記外部機器から時刻データを受信して、受信した時刻データにより前記時刻計数手段の現在時刻データを修正する第１の時刻修正手段と、
前記操作状態判別手段で、前記外部操作スイッチの操作時間が前記所定時間以上と判別された場合に、外部からスイッチ操作により設定された時刻データにより前記時刻計数手段の現在時刻データを修正する第２の時刻修正手段と、
を有することを特徴とする電子時計。
【請求項２】
現在時刻データを計数する時刻計数手段と、
外部機器から時刻データを受信する外部時刻受信手段と、
外部から操作可能な外部操作スイッチと、
この外部操作スイッチが操作された際に、前記外部時刻受信手段が前記外部機器から時刻データを受信可能状態にあるか否かを判別する受信状態判別手段と、
この受信状態判別手段により受信可能状態であると判別された場合に、前記外部時刻受信手段を制御して前記外部機器から時刻データを受信して、受信した時刻データにより前記時刻計数手段の現在時刻データを修正する第１の時刻修正手段と、
前記受信状態判別手段により受信可能状態でないと判別された場合に、外部からスイッチ操作により設定された時刻データにより前記時刻計数手段の現在時刻データを修正する第２の時刻修正手段と、
を有することを特徴とする電子時計。
【請求項３】
前記外部時受信手段は、無線通信により前記外部機器から時刻データを受信することを特徴とする請求項１又は請求項２に記載の電子時計。
【発明の詳細な説明】
【技術分野】
【０００１】
この発明は、外部機器から時刻データを受信して、受信した時刻データで時刻修正する電子時計に関する。
【背景技術】
【０００２】
携帯電話と無線でリンク接続され、携帯電話から時刻を受信して、受信した時刻で時刻修正する腕時計が開示されている（例えば特許文献１、特許文献２）。
【先行技術文献】
【特許文献】
【０００３】
【特許文献１】特開２００９−１１８４０３号広報
【特許文献２】特開２０１１−４７７２７号広報
【発明の概要】
【発明が解決しようとする課題】
【０００４】
腕時計は、本来機能として、ユーザが手動でスイッチを操作して時刻を設定して、設定した時刻で時刻修正する機能を通常有している。したがって、上述の携帯電話から時刻を受信して時刻修正できる腕時計では、２つの時刻修正方法を持っている。しかしながら、２つの時刻修正を実行するための操作が全く関連性がないため、操作がわかりにくいという課題が存在していた。とくに、ユーザが手動で時刻を修正する時刻修正は、使用する頻度が少ないため、操作方法を忘れてしまうことが多く、時刻修正の度にマニュアル等を調べる必要あり面倒であった。また、腕時計と携帯電話とがブルートゥース（Bluetooth；登録商標）などの近距離無線通信手段によりリンク接続されていて携帯電話の時刻に合わせる機能が動作中であるにもかかわらず、誤って腕時計の時刻を手動で修正してしまうという課題も存在していた。
【０００５】
この発明の目的は、受信した時刻で修正する時刻修正を実行させるための操作と、スイッチ操作で設定した時刻で修正する時刻修正を実行するための操作とを、間違えなく確実に行うことができる電子時計を提供することにある。
【課題を解決するための手段】
【０００６】
本発明は、上記目的を達成するため、
現在時刻データを計数する時刻計数手段と、
外部機器から時刻データを受信する外部時刻受信手段と、
外部から操作可能な外部操作スイッチと、
この外部操作スイッチが操作された際に、外部操作スイッチの操作時間が所定時間以上か否かを判別する操作状態判別手段と、
この操作状態判別手段で、前記外部操作スイッチの操作時間が前記所定時間以上でないと判別された場合に、前記外部時刻受信手段を制御して前記外部機器から時刻データを受信して、受信した時刻データにより前記時刻計数手段の現在時刻データを修正する第１の時刻修正手段と、
前記操作状態判別手段で、前記外部操作スイッチの操作時間が前記所定時間以上と判別された場合に、外部からスイッチ操作により設定された時刻データにより前記時刻計数手段の現在時刻データを修正する第２の時刻修正手段と、
を有することを特徴とする電子時計である。
【発明の効果】
【０００７】
本発明に従うと、受信した時刻で修正する時刻修正を実行させるための操作と、スイッチ操作で設定した時刻で修正する時刻修正を実行するための操作とを、間違えなく確実に行うことができる。
【図面の簡単な説明】
【０００８】
【図１】第１実施形態の電子時計の内部構成を示すブロック図である。
【図２】第１実施形態に係る電子時計４０とリンクされるスマートフォン１０の内部構成を示すブロック図である。
【図３】第１実施形態に係る電子時計４０がスマートフォン１０と無線リンクされている様子を示す図である。
【図４】第１実施形態における電子時計４０の時刻修正に係る動作を説明するための図である。
【図５】基本時計モードにおいて、「スマートフォンと時刻合わせを行う処理」に移行するか「手動による時刻修正処理」に移行するかの判別のための制御処理を示すフローチャートである。
【図６】「スマートフォンからの時刻による修正処理」の制御手順を示すフローチャートである。
【図７】「手動による時刻修正処理」における制御手順を示すフローチャートである。
【図８】第２実施形態における電子時計４０がスマートフォン１０とのリンクが切断されている際の時刻修正に係る動作を説明するための図である。
【図９】第２実施形態における電子時計４０がスマートフォン１０とのリンクが接続されている際の時刻修正に係る動作を説明するための図である。
【図１０】第２実施形態における電子時計４０のスイッチＳ２がＯＮしてから１秒以上経ってからＯＦＦされたときの、「時刻修正処理」を説明するためのフローチャートである。
【発明を実施するための形態】
【０００９】
以下、本発明の実施の形態を図面に基づいて説明する。
【００１０】
[第一実施形態]
図１は、本発明の第１実施形態に係る電子時計４０の内部構成を示すブロック図である。図２は、第１実施形態に係る電子時計４０とリンクされるスマートフォン１０の内部構成を示すブロック図である。図３は、第１実施形態に係る電子時計４０がスマートフォン１０と無線リンクされている様子を示す図である。
【００１１】
電子時計４０は、図１に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ領域を提供するＲＡＭ（Random Access Memory）４３と、外部から操作可能で、モードを切換用のスイッチ及び外部から操作可能で、外部から時刻データを設定するための複数のスイッチを有するスイッチ部４４と、現在時刻データを計数する時刻計数手段としての計時回路４５と、電子時計４０本体の正面部に設けられ時刻表示や種々の機能表示を行うＬＣＤ（液晶表示部）４６と、ＬＣＤ４６を駆動する液晶ドライバ４７と、アンテナＡＮ４１を介して近距離無線通信を行うブルートゥースモジュール４８（外部時刻受信手段）と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光点滅等によりユーザに通知を行ったり文字盤を照らしたりする発光ダイオード５２およびそのドライバ５３と、ブザー音によりユーザに通知を行うピエゾ素子５４およびそのドライバ５５と、ＣＰＵ４１と各部との間で信号をやり取りするバス５６等を備えている。ここで、外部操作部は操作ボタンの他、タッチセンサなども含まれる。
【００１２】
スマートフォン１０は、図２に示すように、機器の全体的な制御を行うＣＰＵ１１と、ＣＰＵ１１が実行する制御プログラムや制御データを格納したＲＯＭ１２と、ＣＰＵ１１に作業用のメモリ空間を提供するＲＡＭ１３と、複数の操作キーを有する操作部１４と、種々の機能表示を行うＬＣＤ（液晶表示部）１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信回路２１と、アンテナＡＮ１２を介して近距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、現在時刻を計数する内蔵時計２７と、ＣＰＵ１１と各部との間で信号をやりとりするバス２８等を備えている。
【００１３】
図３にて、外部機器として例示するスマートフォン１０は、既述のように、基地局との無線通信機能に加えて、ブルートゥースなどの近距離無線通信機能を有している。電子時計４０は、既述のように、ブルートゥースなどの近距離無線通信機能を有し、スマートフォン１０とデータ通信を行うことが可能になっている。
【００１４】
電子時計４０とスマートフォン１０においては、予めペアリング処理を行っておくことで鍵データが生成されてメモリに登録され、電子時計４０とスマートフォン１０が近くにある状態で両者のブルートゥースモジュール４８，２２を作動させることで、自動的に通信リンクが確立して相互のデータ通信が可能とされる。
【００１５】
スマートフォン１０のＲＯＭ１２には、電子時計４０から受信した時刻データの送信要求に基づきブルートゥース通信により時刻データを電子時計４０に送信する時刻データ送信プログラムが格納されている。また、電子時計４０から受信した時刻更新処理の要求に基づいてＲＦ送受信回路２０と通信回路２１を利用して基地局から外部の時刻サーバに接続して時刻データを取得し、この時刻データにより内蔵時計２７の時刻の更新を行う時刻更新処理のプログラムが格納されていてもよい。ＣＰＵ１１は、電子時計４０からの要求に基づいてこれらのプログラムを実行する。
【００１６】
また、電子時計４０のＲＯＭ４２には、スマートフォン１０からの時刻データに基づき時刻修正を行う“スマートフォンからの時刻による修正処理”のプログラム、手動による時刻修正のプログラムなどが格納されている。
【００１７】
次に、電子時計４０の時刻修正に係る動作について図４から図７を参照して説明する。
【００１８】
図４は、第１実施形態における電子時計４０の時刻修正に係る動作を説明するための図である。図４（ａ）は電子時計４０が基本時計モードで動作している状態を、図４（ｂ）は電子時計４０がスマートフォン１０と時刻合わせを行うモードに移行した状態を、図４（ｃ）は、手動による時刻修正モードに移行した状態をそれぞれ示す図である。
【００１９】
図４（ａ）に示す基本時計モードでは、電子時計４０のＬＣＤ（液晶表示部）４６上に、月、日、曜日、時刻（時間、分、秒）情報がデジタル表示されている。Ｓ２は、図１のスイッチ部４４のモード切換用のスイッチに相当し、Ｓ１、Ｓ３、Ｓ４は、時刻データを設定するためのスイッチに相当する。
【００２０】
基本時計モードにおいて、ユーザがＳ２スイッチをオンしてから１秒未満の所定の時間にオフしたとき（Ｓ２操作指令と称する）、ＣＰＵ４１は、電子時計４０を「スマートフォンと時刻合わせを行うモード」に移行させ、「スマートフォンと時刻合わせを行う処理」を実行する。
【００２１】
一方、基本時計モードにおいて、ユーザがＳ２スイッチをオンしてから１秒以上経てからオフしたとき（Ｓ２ホールド操作指令と称する）、ＣＰＵ４１は、電子時計４０を「手動による時刻修正モード」に移行させ、「手動による時刻修正処理」を実行する。
【００２２】
図５は、基本時計モードにおいて、「スマートフォンと時刻合わせを行うモード」に移行するか「手動による時刻修正モード」に移行するかの判別のための制御処理を示すフローチャートである。ＣＰＵ４１は、外部からの操作指令としてユーザがＳ２スイッチを一定時間オンしたかを確認する（ステップＳ１１）。Ｓ２スイッチが一定時間オンされていなければ、「ＮＯ」へ分岐してそのまま終了する。一方、Ｓ２スイッチが一定時間以上オンされていれば「ＹＥＳ」へ分岐して、ステップＳ１２へ移行する。ここで、一定時間とは１秒未満の時間であって、スイッチＳ２出力がノイズではないことを確保するために必要な時間である。ステップＳ１２では、Ｓ２スイッチがオンされて１秒以上経てからオフされたか確認する。そして、１秒以上経てオフされたと判別されたら「ＹＥＳ」へ分岐して「手動による時刻修正モード」へ移行する。１秒未満でオフされたと判別されたら、「ＮＯ」へ分岐して「スマートフォンと時刻合わせを行うモード」へ移行する。ここで、「１秒」は「スマートフォンと時刻合わせを行うモード」と「手動による時刻修正モード」を判別するための「所定の時間」の１例である。また、ＣＰＵ４１とステップ１２とが、モード切替用のスイッチＳ２が所定時間未満の一定時間押されたか、または、所定時間以上押されたかのいずれかを判別する操作状態判別手段に相当する。
【００２３】
電子時計４０がスマートフォン１０と時刻合わせを行う「スマートフォンと時刻合わせを行うモード」へ移行した場合における、電子時計４０の時刻修正に係る動作について図６のフローチャートを参照して説明する。図６は、「スマートフォンと時刻合わせを行う処理」の制御手順を示すフローチャートである。
【００２４】
「スマートフォンと時刻合わせを行う処理」が開始されると、先ず、ＣＰＵ４１は、スマートフォン１０との通信リンクが確立されているかを確認する（ステップＳ２１）。通信リンクが確立されていなければ、「ＮＯ」へ分岐してスマートフォンとのリンク処理を行う（ステップＳ２２）。通信リンクが確立されていれば、「ＹＥＳ」へ分岐してステップＳ２３へ移行する。
【００２５】
ステップＳ２３へ移行すると、次に、ＣＰＵ４１は、スマートフォン１０からデバイスコードを受信する。そして、ＣＰＵ４１は、スマートフォン１０に時刻データを要求するように指令を送る（ステップＳ２４）。この際、電子時計は、スマートフォン１０に、時刻データを更新するように指令を送り、スマートフォン１０がこの時刻データ更新指令を受けて、スマートフォン１０の基地局を介して通信ネットワーク上の時刻サーバから時刻データを取得し、スマートフォン１０が保持する時刻データを更新するようにしてもよい。そして、ＣＰＵ４１は、スマートフォン１０から時刻データを受信する（ステップＳ２５）。次に、ＣＰＵ４１は計時回路４５の時刻をスマートフォン１０から取得した時刻に更新して（ステップＳ３２）、スマートフォンからの時刻による修正処理を終了する。ここで、ＣＰＵ４１、ステップＳ２３、ステップ２４、ステップ２５、ステップＳ２６が第１時刻修正手段である。
【００２６】
図７は、「手動による時刻修正処理」における制御手順を示すフローチャートである。「手動による時刻修正処理」において、ＣＰＵ４１はROM４２に格納されている手動による時刻修正のプログラムを基に、手動により時刻を合わせる（ステップ３１）。ここで、ＣＰＵ４１およびステップＳ３１が第２時刻修正手段である。「手動による時刻修正モード」では具体的には、ＣＰＵ４１はROM４２に格納されている手動による時刻修正のプログラムを基に、ＬＣＤ（液晶表示部）４６内の月、日、曜日、時刻（時間、分、秒）のいずれかの種別表示を点滅状態にさせる（図４（Ｃ）参照）。その状態にて、例えば、外部からの操作指令としてユーザがスイッチＳ１をＯＮすると、秒表示が進み（秒数字の値が増加する）、外部からの操作指令としてユーザがスイッチＳ４をＯＮさせると、秒表示が遅れる（秒数字の値が減少する）。次に、ユーザがスイッチＳ３をオンすると、秒表示の修正が確定するとともに、異なる種別表示が点滅する。ここで、スイッチＳ３は、ユーザが時刻合わせすべき種別表示の点滅を切り替えるためのスイッチである。ユーザは、上述のように、Ｓ１スイッチまたはＳ４スイッチにより、点滅している種別表示の値を増減させて時刻修正する。必要な種別の時刻の値を修正したらユーザはスイッチＳ２を１操作することで、終了する。
【００２７】
以上のように、本実施形態の電子時計は、ユーザにより一つのスイッチを短時間ONされた時はスマートフォンと電子時計の時刻を合わせるモードへ移行し、長時間ONされた時は手動による時刻修正モードへ移行するようにしたので、時計の時刻を合わせる操作が分かり易い。
【００２８】
また、外部機器と無線通信を行う無線通信手段を備え、外部時刻取得手段は、無線通信手段を介した無線通信により外部機器から時刻データを取得する手段を備えているので、時刻データを確実に取得することができる。
【００２９】
［第２実施形態］
第１実施形態に係る電子時計では、外部からの操作指令としてユーザがＳ２スイッチをオンしている長さの長短に応じて「スマートフォンと時刻合わせを行うモード」、「手動による時刻修正モード」という異なるモードに移行する。一方、第２実施形態に係る電子時計４０は、Ｓ２スイッチがオンされて１秒以上経てからオフされた場合において、電子時計４０とスマートフォン１０のリンク状態に応じて時刻修正処理の内容を異ならせている。それ以外の構成は第１実施形態と同様である。従って、以下では異なる点のみ説明する。
【００３０】
図８は、第２実施形態に係る電子時計４０がスマートフォン１０とのリンクが切断されている際の時刻修正に係る動作を説明するための図である。図８（ａ）は電子時計４０が基本時計モードで動作している状態を、図８（ｂ）は電子時計４０が手動による時刻修正モードに移行した状態を示す図である。このように、電子時計４０がスマートフォン１０とのリンクが切断されている場合には、外部からの操作指令としてユーザによりスイッチＳ２がＯＮしてから１秒以上経ってからＯＦＦしたとき、電子時計４０は手動修正処理モードに入る。
【００３１】
図９は、第２実施形態における電子時計４０がスマートフォン１０とのリンクが接続されている際の時刻修正に係る動作を説明するための図である。図９（ａ）は、電子時計４０が基本時計モードで動作している状態を示す図である。図９（ｂ）は、リンク接続時において、Ｓ２ホールド操作指令がなされたときの電子時計４０の状態を示す図である。このように、電子時計４０がスマートフォン１０とのリンクが接続されている場合には、電子時計４０のスイッチＳ２がＯＮしてから１秒以上経ってからＯＦＦされたとき、電子時計４０は「スマートフォンと時刻合わせを行うモード」に移行する。
【００３２】
図１０は、電子時計４０のスイッチＳ２がＯＮしてから１秒以上経ってからＯＦＦされたときに実行される「時刻修正処理」を説明するためのフローチャートである。電子時計４０の時刻修正に係る動作について図１０のフローチャートを参照して説明する。
【００３３】
「時刻修正処理」が開始されると、先ずＣＰＵ４１は、スマートフォン１０との通信リンクが接続されているかを判別する（ステップＳ４１）。ここで、ＣＰＵ４１およびステップＳ４１が受信状態判別手段である。通信リンクが接続されていれば、ステップＳ４１で「ＹＥＳ」へ分岐して、「スマートフォンと時刻合わせを行うモード」へ移行し、ステップＳ４３以降の「スマートフォンと時刻合わせを行う処理」を実行する。通信リンクが接続されていなければ、「ＮＯ」へ分岐して「手動による時刻修正モード」へ移行して、「手動による時刻修正処理」を実行する（ステップＳ４２）。
【００３４】
ステップＳ４３へ移行すると、次に、ＣＰＵ４１はスマートフォン１０からデバイスコードを受信する。そしてＣＰＵ４１は、スマートフォン１０に時刻データを要求するように指令を送る（ステップＳ４４）。この際、電子時計は、スマートフォン１０に、時刻データを更新するように指令を送り、スマートフォン１０がこの時刻データ更新指令を受けて、スマートフォン１０の基地局を介して通信ネットワーク上の時刻サーバから時刻データを取得し、スマートフォン１０が保持する時刻データを更新するようにしてもよい。そして、ＣＰＵ４１は、スマートフォン１０から時刻データを受信する（ステップＳ４５）。次にＣＰＵ４１は、計時回路４５の時刻をスマートフォン１０から取得した時刻に更新して（ステップＳ４６）、スマートフォンからの時刻による修正処理を終了する。ここで、ＣＰＵ４１およびステップＳ４３からステップＳ４６が第１時刻修正手段である。
【００３５】
一方、通信リンクが接続されていない状態では「手動による時刻修正モード」へ移行して、「手動による時刻修正処理」を実行する（ステップＳ４２）。ステップＳ４２では、ＣＰＵ４１はROM４２に格納されている手動による時刻修正のプログラムを基に、手動による時刻修正処理を行う。ここで、ＣＰＵ４１およびステップＳ４２が第２時刻修正手段である。なお、ステップＳ４２は上述のステップ３１と同じステップである。
【００３６】
以上のように、本実施形態の電子時計では、一つのスイッチが所定時間以上ONされた時、リンク切断中は「手動による時刻修正モード」へ移行し、リンク接続中は「スマートフォンと時刻合わせを行うモード」を行うようにしたので、時計の時刻を合わせる操作が分かり易く、リンク接続中に誤って電子時計の時刻を手動で修正してしまうことが防止できる。
【００３７】
なお、本発明は、上記実施の形態に限られるものではなく、様々な変更が可能である。例えば、上記の実施形態では通信手段としてブルートゥースのモジュールを例示したが、例えば、WibreeやZigBee（登録商標）などの各種の省電力短距離無線通信を適用することもできるし、また、独自規格の短距離無線通信や、短距離無線通信以外の他の無線通信を適用することもできる。また、赤外線通信のように、光学的な通信を適用することもできる。
【００３８】
また、上記の実施形態では、腕時計型の電子時計４０で説明したが、腕時計型の電子時計に限定する必要はない。持ち運び可能な時計（懐中時計、ペンダント型時計、キーホルダ型時計など）や持ち運び可能な物に付したり、持ち運び可能な物に組み込まれている時計であっても良いし、また、据置き型のクロック、時計機能を備えた据置き型電子機器であってもよい。また、外部機器としてスマートフォンを例示したが、普通の携帯電話、ＰＤＡ（Personal Data Assistant）などの電子機器であってもよいし、また、時刻データを送信する送信装置、放送装置等でもよい。
【００３９】
本発明のいくつかの実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
現在時刻データを計数する時刻計数手段と、
外部機器から時刻データを受信する外部時刻受信手段と、
外部から操作可能な外部操作スイッチと、
この外部操作スイッチが操作された際に、外部操作スイッチの操作時間が所定時間以上か否かを判別する操作状態判別手段と、
この操作状態判別手段で、前記外部操作スイッチの操作時間が前記所定時間以上でないと判別された場合に、前記外部時刻受信手段を制御して前記外部機器から時刻データを受信して、受信した時刻データにより前記時刻計数手段の現在時刻データを修正する第１の時刻修正手段と、
前記操作状態判別手段で、前記外部操作スイッチの操作時間が前記所定時間以上と判別された場合に、外部からスイッチ操作により設定された時刻データにより前記時刻計数手段の現在時刻データを修正する第２の時刻修正手段と、
を有することを特徴とする電子時計。
＜請求項２＞
現在時刻データを計数する時刻計数手段と、
外部機器から時刻データを受信する外部時刻受信手段と、
外部から操作可能な外部操作スイッチと、
この外部操作スイッチが操作された際に、前記外部時刻受信手段が前記外部機器から時刻データを受信可能状態にあるか否かを判別する受信状態判別手段と、
この受信状態判別手段により受信可能状態であると判別された場合に、前記外部時刻受信手段を制御して前記外部機器から時刻データを受信して、受信した時刻データにより前記時刻計数手段の現在時刻データを修正する第１の時刻修正手段と、
前記受信状態判別手段により受信可能状態でないと判別された場合に、外部からスイッチ操作により設定された時刻データにより前記時刻計数手段の現在時刻データを修正する第２の時刻修正手段と、
を有することを特徴とする電子時計。
＜請求項３＞
前記外部時受信手段は、無線通信により前記外部機器から時刻データを受信することを特徴とする請求項１又は請求項２に記載の電子時計。
【符号の説明】
【００４０】
１０ スマートフォン
２２ ブルートゥースモジュール
２７ 内蔵時計
４０ 電子時計
４１ ＣＰＵ
４２ ＲＯＭ
４３ ＲＡＭ
４４ スイッチ部
４５ 計時回路（時刻計数手段）
４６ ＬＣＤ（液晶表示部）
４８ ブルートゥースモジュール（外部時刻受信手段）
【図１】
2013003119.tif 000003
【図２】
2013003119.tif 000004
【図３】
2013003119.tif 000005
【図４】
2013003119.tif 000006
【図５】
2013003119.tif 000007
【図６】
2013003119.tif 000008
【図７】
2013003119.tif 000009
【図８】
2013003119.tif 000010
【図９】
2013003119.tif 000011
【図１０】
2013003119.tif 000012